【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
非導電性基板（2）と第1の導電性エリア（3）、第2の導電性エリア（4）及び第3の導電性エリア（5）とを備える、前面（6）及び背面（7）を有する容量性平面情報担体（1）であって、
a）前記導電性エリア（3、4、5）は、該情報担体（1）の少なくとも前記前面（6）に施され、
b）前記第1の導電性エリア（3）の上に、第1の比誘電率ε1を有する第1の誘電体層（9）が配置され、
c）前記第3の導電性エリア（5）の上に、第2の比誘電率ε2を有する第2の誘電体層（10）が配置されている、
ことを特徴とする、情報担体。
【請求項２】
請求項1に記載の情報担体（1）であって、
前記第1の誘電体層（9）は、10より大きい、又は20より大きい、又は40より大きい第1の比誘電率ε1を有する誘電体インクからなることを特徴とする、情報担体。
【請求項３】
請求項1又は2に記載の情報担体（1）であって、
前記第2の誘電体層（10）は、4より小さい、又は3より小さい、又は2より小さい第2の比誘電率ε2を有する誘電体インクからなることを特徴とする、情報担体。
【請求項４】
請求項1〜3のいずれか1項に記載の情報担体（1）であって、
前記導電性エリア（3、4、5）は、直流的に及び／又は電気的に接触していることを特徴とする、情報担体。
【請求項５】
請求項1〜4のいずれか1項に記載の情報担体（1）であって、
前記非導電性基板（2）は、紙、厚紙、プラスチック、木材系材料、複合材、ガラス、セラミック、テキスタイル、皮革、プラスチック製品及び／又はそれらの任意の組合せを含む群から選択された、平坦な可撓性の非導電性材料から作製されていることを特徴とする、情報担体。
【請求項６】
請求項1〜5のいずれか1項に記載の情報担体（1）であって、
前記導電性エリア（3、4、5）及び誘電体層（9、10）は、オフセット印刷、フレキソ印刷、グラビア印刷、スクリーン印刷及び／又はデジタル印刷を含む群から選択されたアディティブ印刷方法で製造されていることを特徴とする、情報担体。
【請求項７】
請求項1〜6のいずれか1項に記載の情報担体（1）であって、
前記導電性エリア（3、4、5）は、化学蒸着法、物理蒸着法及び／又はスパッタリングプロセスによって製造されていることを特徴とする、情報担体。
【請求項８】
請求項1〜7のいずれか1項に記載の情報担体（1）であって、
前記導電性エリア（3、4、5）の材料は、金属粒子、ナノ粒子、銀、金、銅及び／又はアルミニウム、導電性粒子、カーボンブラック、グラファイト、グラフェン、ATO（アンチモン酸化スズ）、導電性ポリマー層、Pedot、PANI（ポリアリニン）、ポリアセチレン、ポリピロール、ポリチオフェン、ペンタセン又はそれらの任意の組合せを含む群から選択されていることを特徴とする、情報担体。
【請求項９】
請求項1〜8のいずれか1項に記載の情報担体（1）の製造方法であって、
a）非導電性基板（2）を準備するステップと、
b）前記非導電性基板（2）上に第1の導電性エリア（3）、第2の導電性エリア（4）及び第3の導電性エリア（5）を施すステップと、
c）前記第1の導電性エリア（3）の上に第1の比誘電率ε1を有する誘電体インクを備える第1の誘電体層（9）を施すステップと、
d）誘電体インクを含む第2の誘電体層（10）を施すことは、第3の導電性エリア（5）の上に第2の比誘電率ε2を有するステップと、
を含むことを特徴とする、方法。
【請求項１０】
前記第1の誘電体層（9）は、乾燥状態で10より大きい、又は20より大きい、又は40より大きい第1の比誘電率ε1を有することを特徴とする、請求項9に記載の方法。
【請求項１１】
前記第2の誘電体（10）は、乾燥状態で4より小さい、又は3より小さい、又は2より小さい第2の比誘電率ε2を有することを特徴とする、請求項9又は10に記載の方法。
【請求項１２】
タッチスクリーン（12）へ情報を伝達するための請求項1〜8のいずれか1項に記載の情報担体（1）の使用であって、
情報担体（1）の前面（6）が、タッチスクリーン（12）と接触され、
それによって、前記第1の導電性エリア（3）は、タッチスクリーン（12）上に静電容量の局所的な変化を発生させることを特徴とする、使用。
【請求項１３】
物体（24）の導電性面（22）又は導電性物体（32）から形成された情報担体（20）であって、
少なくとも一つのサブエリアを備える、物体（24）の前記導電性面（22）又は前記導電性物体（32）の第1の部分（28）が、第1の比誘電率ε1を有する誘電体層（9）によって覆われ、容量性読取デバイス（34）において第1の信号を生成し、そして、
物体（24）の前記導電性面（22）又は前記導電性物体（32）の第2の部分（30）が、覆われず、容量性読取デバイス（34）において第2の信号を生成することを特徴とする、
、情報担体。
【請求項１４】
物体（24）の導電性面（22）又は導電性物体（32）から形成された情報担体（20）であって、
少なくとも一つのサブエリアを備える、物体（24）の前記導電性面（22）又は前記導電性物体（32）の第1の部分（28）が、第1の比誘電率ε1を有する誘電体層（9）によって覆われ、容量性読取デバイス（34）において第1の信号を生成し、そして、
物体（24）の前記導電性面（22）又は前記導電性物体（32）の第2の部分（30）が、第2の比誘電率ε2を有する誘電体層（10）及び／又は低誘電率スペーサー材料（26）によって覆われ、容量性読取デバイス（34）において第2の信号を生成することを特徴とする、情報担体。
【請求項１５】
前記第1の部分（28）及び前記第2の部分（30）は、前記容量性読取デバイス（34）によって読み取られる、物体（24）の前記導電性面（22）又は前記導電性物体（32）を形成していることを特徴とする、請求項13又は14の情報担体。
【請求項１６】
容量性読取デバイス（34）へ移送するための請求項13、14又は15に記載の情報担体（20）の使用であって、
前記情報担体（20）は、容量性読取デバイス（34）と接触され、それによって、
物体（24）の前記導電性面（22）又は前記導電性物体（32）の前記第1の部分（28）によって、容量性読取デバイス（34）に生成される前記第1の信号は、物体（24）の前記導電性面（22）又は前記導電性物体（32）の前記第2の部分（30）によって、容量性読取デバイス（34）に生成される前記第2の信号とは異なることを特徴とする、使用。
【請求項１７】
請求項13に記載の情報担体（20）の製造方法であって、
a）物体（24）の導電性面（22）又は導電性物体（32）を準備するステップと、
b）物体（24）の前記導電性面（22）又は前記導電性物体（32）の前記第1の部分（28）の上に、第1の比誘電率ε1を有する誘電体層（9）を施すステップと、
を含むことを特徴とする、方法。
【請求項１８】
請求項14に記載の情報担体（20）の製造方法であって、
a）物体（24）の導電性面（22）又は導電性物体（32）を準備するステップと、
b）物体（24）の前記導電性面（22）又は前記導電性物体（32）の前記第1の部分（28）の上に、第1の比誘電率ε1を有する誘電体層（9）を施すステップと、
c）物体（24）の前記導電性面（22）又は前記導電性物体（32）の前記第2の部分（30）の上に、第2の比誘電率ε2を有する誘電体層（10）及び／又は低誘電率スペーサー材料（26）を施すステップと、
を含むことを特徴とする、方法。